(57)【要約】【課題】  自立運転への移行時に、ユーザ自身が煩雑な作業を行う必要がなく、パワーコンディショナの過負荷状態を防止しながら機器への電力供給を行うことができる電力供給システムを提供する。【解決手段】  コントローラ１５は、パワーコンディショナ１２が連系運転から自立運転に移行する場合、切替回路１４ａ毎に記憶した電流計測器１８の計測結果に基づいて、全ての切替回路１４ａにおいて電路を導通させるとパワーコンディショナ１２が過負荷状態になるか否かを判断する。そして、コントローラ１５は、パワーコンディショナ１２が過負荷状態になると判断すれば、自立運転時の動作に移行した後も、パワーコンディショナ１２の出力容量に対する負荷が大きいと判定した１または複数の電路に設けた切替回路１４ａに、電路の遮断状態を維持させる。【選択図】図１
2014239588.tif 000002
【特許請求の範囲】
【請求項１】
商用電力系統と連系させて分散電源の出力から生成した第１の交流電力を出力する連系運転、および商用電力系統と連系させずに前記分散電源の出力から生成した第２の交流電力を出力する自立運転を切替可能なパワーコンディショナと、
前記パワーコンディショナから機器へ前記第１の交流電力を供給する第１の電路を導通・遮断する第１の開閉器、前記パワーコンディショナから前記機器へ前記第２の交流電力を供給する第２の電路を導通・遮断する第２の開閉器からなる複数の切替回路と、
前記切替回路のそれぞれを介して前記機器へ供給される消費電力を計測する計測器と、
前記切替回路を制御することによって、前記連系運転時に、前記第１の開閉器によって前記第１の電路を導通させ、且つ前記第２の開閉器によって前記第２の電路を遮断し、前記自立運転時に、前記第１の開閉器によって前記第１の電路を遮断し、且つ前記第２の開閉器によって前記第２の電路を導通させるコントローラとを備え、
前記コントローラは、
前記連系運転時に前記切替回路毎に記憶した前記計測器の計測結果に基づいて、前記機器の消費電力によって前記パワーコンディショナにかかる負荷の大小を前記切替回路毎に判定し、
前記パワーコンディショナが前記連系運転から前記自立運転に移行する場合、前記計測器の計測結果に基づいて、全ての前記切替回路において前記第２の電路を導通させると前記パワーコンディショナが過負荷状態になる可能性があると判断すれば、前記自立運転時の動作に移行した後も、前記負荷が大きいと判定された１または複数の前記切替回路を、前記第２の電路を遮断した状態に維持する
ことを特徴とする電力供給システム。
【請求項２】
前記コントローラは、前記連系運転時に前記切替回路毎に記憶した前記計測器の計測結果から、前記切替回路毎に前記機器の消費電力を導出し、前記切替回路毎に導出した前記機器の消費電力に基づいて、前記負荷の大小を前記切替回路毎に判定することを特徴とする請求項１記載の電力供給システム。
【請求項３】
前記コントローラは、前記連系運転時に前記切替回路毎に記憶した前記計測器の計測結果から、前記切替回路毎に前記機器の消費電力の変動を導出し、前記切替回路毎に導出した前記消費電力の変動に基づいて、前記負荷の大小を前記切替回路毎に判定することを特徴とする請求項１記載の電力供給システム。
【請求項４】
前記コントローラの前記判定結果をユーザに提示する提示器を備えることを特徴とする請求項１乃至３いずれか記載の電力供給システム。
【発明の詳細な説明】
【技術分野】
【０００１】
本発明は、電力供給システムに関するものである。
【背景技術】
【０００２】
近年、太陽電池、蓄電池等を入力とするパワーコンディショナ（Power Conditioner）を用いた電力供給システムが提案されている。このような電力供給システムは、停電時に分散電源装置が商用電力系統から切り離された自立運転を行って、家庭内の複数の負荷に電力を供給することができる。
【０００３】
特に、蓄電池を入力とするパワーコンディショナは、日射状態に依らず安定した電力を自立運転時に供給することができることから、自立運転時に電力供給する系統が増えていく傾向にある。このように自立運転時に複数系統に負荷を供給すると、パワーコンディショナ側から供給できる最大電力を大きくする必要があり、パワーコンディショナの大出力化、蓄電池の大容量化が必要となる。パワーコンディショナの大出力化、蓄電池の大容量化は、システムの高コスト化や大型化の要因となる。
【０００４】
そこで、自立運転時に電力供給する系統の消費電力が、パワーコンディショナの出力容量を超える場合、各系統への電力供給を行わず、パワーコンディショナが過負荷状態になることをユーザに報知するシステムが提案された（例えば、特許文献１参照）。
【先行技術文献】
【特許文献】
【０００５】
【特許文献１】特開２００７−２６５７７８号公報
【発明の概要】
【発明が解決しようとする課題】
【０００６】
しかしながら、従来の電力供給システムでは、連系運転から自立運転への移行時にパワーコンディショナが過負荷状態になると判定された場合、自立運転に移行することはできなかった。
【０００７】
例えば、ある系統の消費電力が大きく、他の系統の消費電力はあまり大きくない場合でも、自立運転の対象となる系統の消費電力の合計がパワーコンディショナの出力容量を超えていると判定される場合がある。この場合、従来の電力供給システムでは、各系統に設けた開閉器を全て遮断してしまうので、自立運転の対象となる全系統へ電力が供給されなかった。
【０００８】
また、パワーコンディショナの過負荷状態を回避するためには、ユーザ自身が、パワーコンディショナに対して大きい負荷となっている系統を見つけ出して、自立運転の対象からこの系統を外すという煩雑な作業が必要であった。
【０００９】
本発明は、上記事由に鑑みてなされたものであり、その目的は、自立運転への移行時に、ユーザ自身が煩雑な作業を行う必要がなく、パワーコンディショナの過負荷状態を防止しながら機器への電力供給を行うことができる電力供給システムを提供することにある。
【課題を解決するための手段】
【００１０】
本発明の電力供給システムは、商用電力系統と連系させて分散電源の出力から生成した第１の交流電力を出力する連系運転、および商用電力系統と連系させずに前記分散電源の出力から生成した第２の交流電力を出力する自立運転を切替可能なパワーコンディショナと、前記パワーコンディショナから機器へ前記第１の交流電力を供給する第１の電路を導通・遮断する第１の開閉器、前記パワーコンディショナから前記機器へ前記第２の交流電力を供給する第２の電路を導通・遮断する第２の開閉器からなる複数の切替回路と、前記切替回路のそれぞれを介して前記機器へ供給される消費電力を計測する計測器と、前記切替回路を制御することによって、前記連系運転時に、前記第１の開閉器によって前記第１の電路を導通させ、且つ前記第２の開閉器によって前記第２の電路を遮断し、前記自立運転時に、前記第１の開閉器によって前記第１の電路を遮断し、且つ前記第２の開閉器によって前記第２の電路を導通させるコントローラとを備え、前記コントローラは、前記連系運転時に前記切替回路毎に記憶した前記計測器の計測結果に基づいて、前記機器の消費電力によって前記パワーコンディショナにかかる負荷の大小を前記切替回路毎に判定し、前記パワーコンディショナが前記連系運転から前記自立運転に移行する場合、前記計測器の計測結果に基づいて、全ての前記切替回路において前記第２の電路を導通させると前記パワーコンディショナが過負荷状態になる可能性があると判断すれば、前記自立運転時の動作に移行した後も、前記負荷が大きいと判定された１または複数の前記切替回路を、前記第２の電路を遮断した状態に維持することを特徴とする。
【００１１】
この発明において、前記コントローラは、前記連系運転時に前記切替回路毎に記憶した前記計測器の計測結果から、前記切替回路毎に前記機器の消費電力を導出し、前記切替回路毎に導出した前記機器の消費電力に基づいて、前記負荷の大小を前記切替回路毎に判定することが好ましい。
【００１２】
この発明において、前記コントローラは、前記連系運転時に前記切替回路毎に記憶した前記計測器の計測結果から、前記切替回路毎に前記機器の消費電力の変動を導出し、前記切替回路毎に導出した前記消費電力の変動に基づいて、前記負荷の大小を前記切替回路毎に判定することが好ましい。
【００１３】
この発明において、前記コントローラの前記判定結果をユーザに提示する提示器を備えることが好ましい。
【発明の効果】
【００１４】
以上説明したように、本発明では、コントローラは、自立運転への移行時に、パワーコンディショナにかかる負荷が大きい電路を自動的に遮断して、自立運転時におけるパワーコンディショナの過負荷状態を予め防止しておく。したがって、自立運転への移行時に、ユーザ自身が煩雑な作業を行う必要がなく、パワーコンディショナの過負荷状態を防止しながら機器への電力供給を行うことができるという効果がある。
【図面の簡単な説明】
【００１５】
【図１】実施形態の電力供給システムの構成を示すブロック図である。
【発明を実施するための形態】
【００１６】
以下、本発明の実施の形態を図面に基づいて説明する。
【００１７】
（実施形態）
本実施形態の電力供給システムは、図１に示す構成を備えており、電力会社から電力を供給されている各需要家において用いられる。本システムは、分電盤１１、パワーコンディショナ１２、蓄電池１３、切替盤１４、コントローラ１５、提示器１６を主構成として備える。
【００１８】
分電盤１１は、集合住宅の各住戸、戸建て住宅、工場、事務所等の需要家内に引き込まれた単相３線式２００Ｖ／１００Ｖの幹線電路２１が接続され、電力会社の商用電源３０から幹線電路２１を介して商用電力が供給される。そして、分電盤１１は、主電源ブレーカ１１ａ、分岐ブレーカ１１ｂ、分散電源用ブレーカ１１ｃが収納されている。幹線電路２１は、主電源ブレーカ１１ａを介して複数の分岐ブレーカ１１ｂ、分散電源用ブレーカ１１ｃに接続される。
【００１９】
そして、幹線電路２１は、各分岐ブレーカ１１ｂを介して複数の分岐電路２２に分岐する。分岐電路２２のそれぞれは、照明機器、空調機器、家電機器等の機器４１が接続され、これらの機器４１へ交流電力を供給する。但し、複数の分岐電路２２のうち、１つの分岐電路２２ａは、切替盤１４に接続している。
【００２０】
蓄電池１３（分散電源）は、例えばリチウムイオン電池等の二次電池で構成され、パワーコンディショナ１２によって充放電制御がなされる。パワーコンディショナ１２は、ＡＣ／ＤＣ変換機能とＤＣ／ＡＣ変換機能との両方を有する。
【００２１】
蓄電池１３の放電電力は、パワーコンディショナ１２に供給され、パワーコンディショナ１２によって交流電力に変換される。このパワーコンディショナ１２は、連系運転と自立運転とを切替可能に動作する。具体的に、パワーコンディショナ１２は、商用電源３０が通電している通常時に連系運転を行い、商用電源３０の停電時に自立運転を行う。そして、パワーコンディショナ１２は、連系運転時において、商用電源３０（商用電力系統）と連系して、蓄電池１３の出力から生成した交流電力（第１の交流電力）を連系接続部１２ａから出力する。また、パワーコンディショナ１２は、自立運転時において、商用電力系統と連系せずに、蓄電池１３の出力から生成した交流電力（第２の交流電力）を自立接続部１２ｂから出力する。
【００２２】
そして、連系接続部１２ａは、交流電路２３に接続しており、連系接続部１２ａの交流出力は、交流電路２３から分電盤１１の分散電源用ブレーカ１１ｃを介して、幹線電路２１に供給される。而して、連系接続部１２ａの交流出力は、幹線電路２１から分岐ブレーカ１１ｂを介して分岐電路２２へ供給される。なお、パワーコンディショナ１２は、連系接続部１２ａの交流出力を、商用電源３０が供給する商用電力に協調させる系統連系運転機能を有する。
【００２３】
さらに、パワーコンディショナ１２は、商用電源３０から分散電源用ブレーカ１１ｃを介して供給される商用電力を用いて、蓄電池１３を充電する機能も有している。
【００２４】
また、自立接続部１２ｂからの交流出力は、交流電路２４を介して切替盤１４に入力される。
【００２５】
切替盤１４は、複数の切替回路１４ａを備える。切替回路１４ａは、２つの開閉器１４ｂ，１４ｃで構成されている。開閉器１４ｂは一端側を分岐電路２２ａに接続し、開閉器１４ｃは一端側を交流電路２４に接続している。そして、開閉器１４ｂ，１４ｃの各他端側は互いに接続されて共通端を形成しており、この共通端は自立電路２５にそれぞれ接続している。なお、複数の自立電路２５を区別する場合、自立電路２５１，２５２，２５３，．．．の符号を付す。
【００２６】
そして、切替回路１４ａの開閉器１４ｂ，１４ｃは、コントローラ１５によってオン・オフ制御される。
【００２７】
開閉器１４ｂのオン時には、分岐電路２２ａから自立電路２５に至る電路が導通し、幹線電路２１の電力（商用電力と、連系運転時のパワーコンディショナ１２の交流出力との和）が自立電路２５に供給される。また、開閉器１４ｂのオフ時には、分岐電路２２ａから自立電路２５に至る電路が遮断される。すなわち、開閉器１４ｂ（第１の開閉器）のオン・オフによって、分岐電路２２ａから自立電路２５に至る電路（第１の電路）が導通・遮断される。
【００２８】
開閉器１４ｃのオン時には、交流電路２４から自立電路２５に至る電路が導通し、パワーコンディショナ１２の自立接続部１２ｂから出力される交流電力が自立電路２５に供給される。また、開閉器１４ｃのオフ時には、交流電路２４から自立電路２５に至る電路が遮断される。すなわち、開閉器１４ｃ（第２の開閉器）のオン・オフによって、交流電路２４から自立電路２５に至る電路（第２の電路）が導通・遮断される。
【００２９】
自立電路２５のそれぞれは、照明機器、空調機器、家電機器等の機器５１が接続され、これらの機器５１へ交流電力を供給する。
【００３０】
本システムにおいて、分岐電路２２に接続した機器４１は、商用電源３０が通電状態である通常時にのみ電力を供給される系統負荷である。一方、自立電路２５に接続した機器５１は、商用電源３０が通電状態である通常時、および商用電源３０の停電時の両方において電力を供給される自立負荷である。
【００３１】
機器４１が接続された分岐電路２２には、電流計測器１７が設けられている。電流計測器１７は、各分岐電路２２を流れる電流を測定し、コントローラ１５へ測定結果を出力する。また、機器５１が接続された自立電路２５には、電流計測器１８が設けられている。電流計測器１８は、各自立電路２５を流れる電流を測定し、コントローラ１５へ測定結果を出力する。
【００３２】
次に、コントローラ１５によるシステム制御について説明する。
【００３３】
コントローラ１５は、例えば主電源ブレーカ１１ａの一次側の電圧を検出することによって（図示なし）、商用電源３０が商用電力を供給している通常時と、商用電源３０から商用電力の供給が停止している停電時との判別を行う。そして、コントローラ１５は、通常時であると判別した場合、連系運転モードに移行する。また、コントローラ１５は、停電時であると判別した場合、自立運転モードに移行する。
【００３４】
まず、コントローラ１５は、連系運転モードにおいて、切替回路１４ａの開閉器１４ｂをオン，開閉器１４ｃをオフさせる。さらに、コントローラ１５は、必要に応じて、パワーコンディショナ１２を連系運転で動作させる。パワーコンディショナ１２の連系接続部１２ａの交流出力は、商用電源３０の商用電力と連系して、機器４１および機器５１に供給される。
【００３５】
コントローラ１５は、連系運転モードにおいて、電流計測器１７，１８の各測定結果を取得し、記憶する。提示器１６は、モニタ装置等で構成されており、電流計測器１７，１８の各測定結果を表示する。
【００３６】
商用電源３０が停電すると、コントローラ１５は、通常運転モードから自立運転モードに移行する。自立運転モードに移行したコントローラ１５は、まず、通常運転モードで取得した電流計測器１８の各測定結果に基づいて、各自立電路２５の消費電力の平均値（平均電力）を演算する。コントローラ１５は、各自立電路２５の平均電力に基づいて、機器５１の消費電力によってパワーコンディショナ１２にかかる負荷の大小を切替回路１４ａ毎（自立電路２５毎）に判定する。そして、パワーコンディショナ１２にかかる負荷が大きい自立電路２５に接続した切替回路１４ａを判別する。このように、コントローラ１５は、各自立電路２５における平均電力を参照することによって不安定系統を判別することができる。以降、パワーコンディショナ１２にかかる負荷が大きい自立電路２５を、不安定系統と称す。
【００３７】
例えば、コントローラ１５は、他の自立電路２５に比べて、平均電力が所定値以上大きい１または複数の自立電路２５を不安定系統であると判別する。あるいは、コントローラ１５は、平均電力が閾値以上である１または複数の自立電路２５を不安定系統であると判別する。あるいは、コントローラ１５は、これらの判別条件を複数組み合わせて、不安定系統の判別処理を行ってもよい。なお、コントローラ１５は、平均電力の演算処理、不安定系統の判別処理を、通常運転モード中に行ってもよい。
【００３８】
自立電路２５１：平均電力Ｗａ１、自立電路２５２：平均電力Ｗａ２、自立電路２５３：平均電力Ｗａ３であり、Ｗａ１≪Ｗａ３、Ｗａ２≪Ｗａ３とする。この場合、コントローラ１５は、自立電路２５３の平均電力Ｗａ３が、他の自立電路２５１，２５２の各平均電力Ｗａ１，Ｗａ２より所定値以上大きいので、自立電路２５３が不安定系統であると判断する。
【００３９】
そして、コントローラ１５は、自立運転モードに移行すると、自立電路２５１〜２５３の各平均電力の和Ｗａ１＋Ｗａ２＋Ｗａ３を導出し、この平均電力の和Ｗａ１＋Ｗａ２＋Ｗａ３をパワーコンディショナ１２の出力容量と比較する。コントローラ１５は、平均電力の和Ｗａ１＋Ｗａ２＋Ｗａ３をパワーコンディショナ１２の出力容量と比較することによって、全ての切替回路１４ａの開閉器１４ｃがオンすると、パワーコンディショナ１２が過負荷状態になる可能性があるか否かを判断する。なお、パワーコンディショナ１２の出力容量とは、パワーコンディショナ１２が出力することができる最大出力である。コントローラ１５は、蓄電池１３の充電状態を監視することによって、蓄電池１３の残容量に応じたパワーコンディショナ１２の出力容量を把握することができる。
【００４０】
自立運転モードに移行したコントローラ１５は、平均電力の和Ｗａ１＋Ｗａ２＋Ｗａ３がパワーコンディショナ１２の出力容量以下であれば、パワーコンディショナ１２が過負荷状態になる可能性がないと判断する。そして、コントローラ１５は、全ての自立電路２５１〜２５３の切替回路１４ａの開閉器１４ｂをオフし、開閉器１４ｃをオンする。その後、コントローラ１５は、パワーコンディショナ１２を自立運転で動作させる。この場合、全ての自立電路２５１〜２５３は、自立運転で動作するパワーコンディショナ１２の自立接続部１２ｂから交流電力を供給される。
【００４１】
また、自立運転モードに移行したコントローラ１５は、平均電力の和Ｗａ１＋Ｗａ２＋Ｗａ３がパワーコンディショナ１２の出力容量より大きければ、パワーコンディショナ１２が過負荷状態になる可能性があると判断する。そして、コントローラ１５は、不安定系統であると判断した自立電路２５３の切替回路１４ａの開閉器１４ｂをオフして、その後、自立電路２５３の切替回路１４ａの開閉器１４ｂ，１４ｃをオフ状態に維持する。すなわち、不安定系統であると判定された自立電路２５３は、自立運転時において、分岐電路２２ａおよび交流電路２４から切り離される。そして、コントローラ１５は、自立電路２５１，２５２に設けた切替回路１４ａの開閉器１４ｂをオフし、開閉器１４ｃをオンする。その後、コントローラ１５は、パワーコンディショナ１２を自立運転で動作させる。すなわち、自立電路２５１，２５２は、パワーコンディショナ１２の自立接続部１２ｂから交流電力を供給される。
【００４２】
そして、パワーコンディショナ１２は、自立電路２５３が不安定系統であると判定したことを、提示器１６に通知する。提示器１６は、自立電路２５３が不安定系統であることを表示する。
【００４３】
全ての自立電路２５の消費電力の和がパワーコンディショナ１２の出力容量より大きければ、自立運転のパワーコンディショナ１２は、過負荷状態となって、出力をシャットダウンしてしまう。そこで上述のように、パワーコンディショナ１２が自立運転時に過負荷状態となる可能性がある場合、コントローラ１５は、パワーコンディショナ１２から不安定系統であると判定した自立電路２５に至る電路を遮断状態に維持する。このように、コントローラ１５は、自立運転への移行時に、パワーコンディショナ１２にかかる負荷が大きい自立電路２５を自動的に遮断して、自立運転時におけるパワーコンディショナ１２の過負荷状態を予め防止しておく。したがって、自立運転への移行時に、ユーザ自身が煩雑な作業を行う必要がなく、パワーコンディショナ１２の過負荷状態を防止しながら機器５１への電力供給を行うことができる。
【００４４】
さらに、提示器１６が不安定系統を表示することによって、ユーザは、問題のある系統を認識することができる。したがって、ユーザは、問題解決のために適切な対応をとることができる。
【００４５】
また、コントローラ１５は、切替回路１４ａを介して機器５１へ供給される平均電力の和がパワーコンディショナ１２の出力容量以下となれば、不安定系統と判断した全ての切替回路１４ａの開閉器１４ｂ，１４ｃをオフ状態に維持する必要はない。すなわち、不安定系統と判断した全ての切替回路１４ａのうち、必要最小限の切替回路１４ａに対してのみ、開閉器１４ｂ，１４ｃをオフ状態に維持させてもよい。
【００４６】
さらに、コントローラ１５はパワーコンディショナ１２の状態を監視している。そして、自立動作中のパワーコンディショナ１２が過負荷状態となってシャットダウンした場合、コントローラ１５は、電流計測器１８の計測結果に基づいて、各自立電路２５の消費電力（平均電力、最大電力等）を提示器１６に表示させる。ユーザは、提示器１６に表示された各自立電路２５の消費電力を見て、問題解決のための適切な対応をとることができる。また、提示器１６に表示させる内容としては、パワーコンディショナ１２に過負荷状態を引き起こさせる要因となった自立電路２５（例えば、消費電力が大きい自立電路）の情報であってもよい。
【００４７】
また、自立運転モードに移行したコントローラ１５は、通常運転モード時に取得した電流計測器１８の各測定結果に基づいて、各自立電路２５の消費電力の変動幅を演算してもよい。この場合、コントローラ１５は、各自立電路２５における消費電力の変動幅に基づいて、機器５１の消費電力によってパワーコンディショナ１２にかかる負荷の大小を切替回路１４ａ毎（自立電路２５毎）に判定する。そして、パワーコンディショナ１２にかかる負荷が大きい自立電路２５に接続した切替回路１４ａを判別する。このように、コントローラ１５は、各自立電路２５における消費電力の変動幅を参照することによって不安定系統を判別することができる。なお、消費電力の変動幅とは、平均電力と最大電力との差である。
【００４８】
例えば、コントローラ１５は、他の自立電路２５に比べて、消費電力の変動幅が所定値以上大きい１または複数の自立電路２５を不安定系統であると判別する。あるいは、コントローラ１５は、消費電力の変動幅が閾値以上である１または複数の自立電路２５を不安定系統であると判別する。あるいは、コントローラ１５は、これらの判別条件を複数組み合わせて、不安定系統の判別処理を行ってもよい。
【００４９】
自立電路２５１：消費電力の変動幅ΔＷａ１、自立電路２５２：消費電力の変動幅ΔＷａ２、自立電路２５３：消費電力の変動幅ΔＷａ３であり、ΔＷａ１≪ΔＷａ３、ΔＷａ２≪ΔＷａ３とする。この場合、コントローラ１５は、自立電路２５３の消費電力の変動幅ΔＷａ３が、自立電路２５１，２５２の各消費電力の変動幅ΔＷａ１，ΔＷａ２より所定値以上大きいので、自立電路２５３が不安定系統であると判断する。
【００５０】
そして、コントローラ１５は、自立運転モードに移行すると、自立電路２５１〜２５３の各最大電力の和Ｗａ１＋ΔＷａ１＋Ｗａ２＋ΔＷａ２＋Ｗａ３＋ΔＷａ３を導出する。コントローラ１５は、この最大電力の和Ｗａ１＋ΔＷａ１＋Ｗａ２＋ΔＷａ２＋Ｗａ３＋ΔＷａ３をパワーコンディショナ１２の出力容量と比較する。コントローラ１５は、最大電力の和Ｗａ１＋ΔＷａ１＋Ｗａ２＋ΔＷａ２＋Ｗａ３＋ΔＷａ３をパワーコンディショナ１２の出力容量と比較することによって、全ての切替回路１４ａの開閉器１４ｃがオンすると、パワーコンディショナ１２が過負荷状態になる可能性があるか否かを判断する。
【００５１】
自立運転モードに移行したコントローラ１５は、最大電力の和Ｗａ１＋ΔＷａ１＋Ｗａ２＋ΔＷａ２＋Ｗａ３＋ΔＷａ３がパワーコンディショナ１２の出力容量以下であれば、パワーコンディショナ１２が過負荷状態になる可能性がないと判断する。そして、コントローラ１５は、全ての自立電路２５１〜２５３の切替回路１４ａの開閉器１４ｂをオフし、開閉器１４ｃをオンする。その後、コントローラ１５は、パワーコンディショナ１２を自立運転で動作させる。この場合、全ての自立電路２５１〜２５３は、自立運転で動作するパワーコンディショナ１２の自立接続部１２ｂから交流電力を供給される。
【００５２】
また、自立運転モードに移行したコントローラ１５は、最大電力の和Ｗａ１＋ΔＷａ１＋Ｗａ２＋ΔＷａ２＋Ｗａ３＋ΔＷａ３がパワーコンディショナ１２の出力容量より大きければ、パワーコンディショナ１２が過負荷状態になる可能性があると判断する。そして、コントローラ１５は、不安定系統であると判断した自立電路２５３の切替回路１４ａの開閉器１４ｂをオフして、その後、自立電路２５３の切替回路１４ａの開閉器１４ｂ，１４ｃをオフ状態に維持する。すなわち、不安定系統であると判定された自立電路２５３は、自立運転時において、分岐電路２２ａおよび交流電路２４から切り離される。そして、コントローラ１５は、自立電路２５１，２５２に設けた切替回路１４ａの開閉器１４ｂをオフし、開閉器１４ｃをオンする。その後、コントローラ１５は、パワーコンディショナ１２を自立運転で動作させる。すなわち、自立電路２５１，２５２は、パワーコンディショナ１２の自立接続部１２ｂから交流電力を供給される。
【００５３】
この場合も、コントローラ１５は、自立運転への移行時に、パワーコンディショナ１２にかかる負荷が大きい自立電路２５を自動的に遮断して、自立運転時におけるパワーコンディショナ１２の過負荷状態を予め防止しておく。したがって、自立運転への移行時に、ユーザ自身が煩雑な作業を行う必要がなく、パワーコンディショナ１２の過負荷状態を防止しながら機器５１への電力供給を行うことができる。
【００５４】
また、パワーコンディショナ１２は、太陽電池（図示なし）等の他の分散電源の電力を交流電力に変換して出力する構成であってもよい。
【００５５】
上述のように、電力供給システムは、商用電力系統と連系させて分散電源（蓄電池１３）の出力から生成した第１の交流電力を出力する連系運転、および商用電力系統と連系させずに分散電源の出力から生成した第２の交流電力を出力する自立運転を切替可能なパワーコンディショナ１２を備える。さらに、パワーコンディショナ１２から機器５１へ第１の交流電力を供給する第１の電路を導通・遮断する開閉器１４ｂ（第１の開閉器）、パワーコンディショナ１２から機器５１へ第２の交流電力を供給する第２の電路を導通・遮断する開閉器１４ｃ（第２の開閉器）からなる複数の切替回路１４ａを備える。さらに、切替回路１４ａのそれぞれを介して機器５１へ供給される消費電力を計測する計測器（電流計測器１８）を備える。切替回路１４ａを制御することによって、連系運転時に、開閉器１４ｂによって第１の電路を導通させ、且つ開閉器１４ｃによって第２の電路を遮断し、自立運転時に、開閉器１４ｂによって第１の電路を遮断し、且つ開閉器１４ｃによって第２の電路を導通させるコントローラ１５を備える。そして、コントローラ１５は、連系運転時に切替回路１４ａ毎に記憶した計測器の計測結果に基づいて、機器５１の消費電力によってパワーコンディショナ１２にかかる負荷の大小を切替回路１４ａ毎に判定する。コントローラ１５は、パワーコンディショナ１２が連系運転から自立運転に移行する場合、計測器の計測結果に基づいて、全ての切替回路１４ａにおいて第２の電路を導通させるとパワーコンディショナ１２が過負荷状態になる可能性があるか否かを判断する。そして、コントローラ１５は、全ての切替回路１４ａにおいて第２の電路を導通させるとパワーコンディショナ１２が過負荷状態になる可能性があると判断すれば、自立運転時の動作に移行した後も、負荷が大きいと判定された１または複数の切替回路１４ａを、第２の電路を遮断した状態に維持する。
【００５６】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００５７】
１１  分電盤
１２  パワーコンディショナ
１３  蓄電池
１４  切替盤
１４ａ  切替回路
１４ｂ  開閉器（第１の開閉器）
１４ｃ  開閉器（第２の開閉器）
１５  コントローラ
１６  提示器
１８  電流計測器（計測器）
５１  機器
【図１】
2014239588.tif 000003